(57)【要約】【課題】本発明は、Ｖ字形の反射体を取付ける作業性を低下させることがなく、意匠性も低下しない照明器具を提供する。【解決手段】  本実施形態によれば、袋ダボ６１へ反射体１２の取付部５１の取付片５４を挿入する挿入時は、袋ダボ６１の切断面部６２側である挿入開口６３内に器具本体１１の基材のバリや塗装剥がれ片が位置することがない。したがって、反射体１２の取付作業性が損なわれることが無く、スムーズな作業をおこなうことができる。また、切欠き孔７０は、反射体１２を器具本体１１に取付けた状態においては、取付片５４や折曲部５１によって外方からは殆ど見えない状態となるので、意匠性が低下することがない。【選択図】図４
2007324093.tif 000002
【特許請求の範囲】
【請求項１】
長手方向に対して交差する断面が略Ｖ字形に形成された反射部と、前記反射部の長手方向と交差する両側縁に略水平方向へ折曲形成された折曲部と、前記折曲部を切り欠いた一対の溝部間に設けられた複数の取付部とを有する反射体と；
長手方向に沿って形成された天板部を有し、前記天板部は、前記反射体の取付部の取付位置に反射体側へ向けて切断面部が露出するように切り起こされた複数の切り起こし部と、前記切り起こし部の切断面部側に長手方向が前記切断面部の長手方向方向の寸法よりも同等以上に形成された切欠き孔とを有するように形成された器具本体と；
を具備することを特徴とする照明器具。
【発明の詳細な説明】
【技術分野】
【０００１】
本発明は、断面Ｖ字形の反射体を器具本体に取付ける照明器具に関する。
【背景技術】
【０００２】
従来、断面Ｖ字形の反射体を器具本体に取付けた照明器具が知られている（例えば、特許文献１参照）。
【０００３】
この従来の照明器具は、器具本体に反射体を取り付ける場合には、反射体の一側に配置された取付部を、器具本体の一側に配置された切り起こし部である袋ダボに挿入する。そして、さらに、反射体の弾性に抗して他側の一側に寄せ、つまり両側の間隔が狭まるように弾性変形させながら、反射体の他側の取付部を器具本体の他側に配置された袋ダボに挿入することで取付が終了するというものである。
【特許文献１】特開２００４−３４９２３０号公報
【発明の開示】
【発明が解決しようとする課題】
【０００４】
しかしながら、従来の照明器具は、Ｖ字形の反射体を取り付ける作業がスムーズに実施できない場合があった。
【０００５】
それは、器具本体に形成した切り起こし部の切断面において、基材である金属板のバリ等が有ることによって、反射体の取付部が袋ダボ内へ挿入することができないことがあったためである。
【０００６】
これは、切り起こし部を形成する製造工程において、切り起こし部をプレスにより形成するとともに、切断面も同時に形成する場合がある。そして、このような工程であると、金属板が細く延びた状態の箇所を強引に切断するため、切断面が平坦面で形成されず、凹凸やバリが発生することがあった。これでは、反射体を取付ける際に切断面に生じたバリが邪魔となって反射体の取付部を袋ダボ内へスムーズに挿入することができないことがあり、取付作業性が低下してしまうものであった。
【０００７】
また、器具本体の金属板に塗装鋼鈑を使用した場合、上記工程であると、切断面付近に塗装の剥がれを生じさせる虞があった。これでは、塗装剥がれが視認可能である器具本体側に生じてしまうと商品性が低下してしまうとともに、基材の金属板部に錆び等が生じる原因にもなるものであった。
【０００８】
本願発明は、上記に鑑みなされたものであり、Ｖ字形の反射体を取付ける作業性を低下させることがなく、意匠性も低下しない照明器具を提供することを目的とする。
【課題を解決するための手段】
【０００９】
請求項１記載の照明器具は、長手方向に対して交差する断面が略Ｖ字形に形成された反射部と、前記反射部の長手方向と交差する両側縁に略水平方向へ折曲形成された折曲部と、前記折曲部を切り欠いた一対の溝部間に設けられた複数の取付部とを有する反射体と；長手方向に沿って形成された天板部を有し、前記天板部は、前記反射体の取付部の取付位置に反射体側へ向けて切断面部が露出するように切り起こされた複数の切り起こし部と、前記切り起こし部の切断面部側に長手方向が前記切断面部の長手方向方向の寸法よりも同等以上に形成された切欠き孔とを有するように形成された器具本体と；を具備することを特徴とする。
【００１０】
本発明においては、切り起こし部を形成する製造工程において、切断面部を同時に形成しないようにするものである。すなわち、切欠き孔は、切り起こし部を形成する前工程においてプレス等により型抜きして形成することにより、従来のような器具本体の基材を強引にちぎり取るような切断面部の形成ではないため、切り起こし部の切断面部側にバリなどが生じ難いようになっている。
【発明の効果】
【００１１】
請求項１記載の発明によれば、切り起こし部へ反射体の取付部を挿入する挿入時は、切り起こし部の切断面部側に器具本体の基材のバリや塗装剥がれ片が位置することがない。したがって、反射体の取付作業性が損なわれることが無く、スムーズな取付作業をおこなうことができる。
【００１２】
また、切欠き孔は、反射体を器具本体に取付けた状態においては、取付部や折曲部等の反射体の一部の部材によって外方からは殆ど見えない状態となるので、切欠き孔を設けても切欠き孔自体又は器具本体内が視認されることがなく、意匠性の低下を防ぐことができる。
【発明を実施するための最良の形態】
【００１３】
本発明の一実施形態について、図面を参照して説明する。図１は本実施形態の照明器具を示す一部正面断面図、図２は本実施形態の照明器具を示す一部側面断面図、図３は本実施形態の照明器具の反射体を示す説明図、図４は本実施形態の照明器具の器具本体の要部を示す要部拡大断面図、図５は本実施形態の照明器具の切り起こし部を示す要部正面図である。
【００１４】
図１および図２に示すように、照明器具１は、器具本体１１、この器具本体１１内に配置される断面V字状の反射体１２、器具本体１１内に配置される２本の直管形の蛍光ランプ２を装着するランプソケット１３、蛍光ランプＬを点灯させる点灯装置１４、器具本体１１を覆うセード８などを備えている。
【００１５】
器具本体１１は、図１及び図４に示すように、基板としての導電性を有する金属板の表面を、絶縁性を有する絶縁膜である材料の塗装で覆った基板部４０を有し、この基板部４０の部材により一体あるいは複数の部材を組み合わせて形成されている。本例では、中央域が長手方向に沿って上方に突出された天板部４１およびこの天板部４１の長手方向と交差する両側域から下方へ折曲された側板部４２とを有する略長方形箱状に形成されており、天板部４１の一部は、反射面として形成されている。また、器具本体１１の下側には、器具本体１１及び後述する反射体１２を覆うカバー８が器具本体１１設けられたカバー取付部８２にカバー取付バネ８１を係止することで取付けられている。
【００１６】
そして、天板部４１の中央域下面には点灯装置１４や図示しない端子台などが取り付けられ、これら点灯装置１４などとともに天板部４１の中央域を覆って反射体１２がの天板部４１に取り付けられている。反射体１２の両側域において、両端のソケット取付台１５に各ランプソケット１３がそれぞれ略水平方向に突設するように取付けられ、これらランプソケット１４によって器具本体１１内に２本の蛍光ランプＬが配置されている。
【００１７】
反射体１２は、図３に示すように、基板としての導電性を有する金属板の表面を絶縁膜として塗装で覆った反射部５０を有して形成されている。本例では、反射部５０が長手方向に対して交差する断面が略Ｖ字形に形成され、その長手方向と交差する両側縁に器具本体１１の天板部４１に接合して取り付けられる折曲部５１が略水平方向に折曲形成されている。これら両側の折曲部５１には、取付部５２が形成されている。そして、これら各取付部５２は、折曲部５１を切り欠いた一対の溝部５３間に取付片５４を有して形成されているものである。なお、図３の（ａ）は反射体１２の底面図、（ｂ）は反射体１２の側面図、（ｃ）は反射体１２の取付部５２を示す拡大図である。
【００１８】
また、天板部４１には、反射体１２の取付部５１の取付片５４の取付位置の両側域に、互いに対向して反射体１２側である下方へ向けて傾斜状であってかつ端部が円弧状に切り起こされた両側の複数の切り起こし部６０が形成されている。
【００１９】
この切り起こし部６０は、図４、図５に示すように、それぞれ袋ダボ６１で構成され、この袋ダボ６１の切り起こした先端側に基板が露出する切断面部６２が形成されている。本例では、反射体１２の取付位置の両側域に対向して配置される袋ダボ６１は、器具本体１１の長手方向の２箇所に配置されている。
【００２０】
また、器具本体１１の天板部４１の切り起こし部６１の切断面部６２側には、切断面部６２の長手方向方向の寸法よりも大きくなるように矩形状の切欠き孔７０が形成されている。本例では、切欠き孔７０は、各袋ダボ６１の切断面部６２側に各々一つづ形成されている。
【００２１】
本実施形態において、器具本体１１に反射体１２を取り付ける場合には、反射体１２の一側の折曲部５１に配置された各取付部５２の取付片５４を、器具本体１１の一側に配置された各袋ダボ６１の挿入開口６３に挿入する。そして、反射体１２の弾性に抗して他側の折曲部５１を一側に寄せ、つまり両側の折曲部５１の間隔が狭まるように弾性変形させながら、反射体１２の他側の折曲部５１に配置された各取付部５２の取付片５４を、器具本体１１の他側に配置された各袋ダボ６１の挿入開口６３に挿入する。これにより、反射体１２の両側の取付部５２の取付片５４が器具本体１１の両側の袋ダボ６１に挿入支持されて、反射体１２が器具本体１１に取り付けられる。
【００２２】
本実施形態の作用について説明する。本実施形態においては、袋ダボ６１の切断面部６２側に切欠き孔７０が形成されているため、袋ダボ６１を形成する製造工程において、切り起こし部６０をプレスにより形成してしまえば、切り起こし部６０形成工程で切断面部６２を同時に形成する必要がない。すなわち、切欠き孔７０は、袋ダボ６１を形成する前工程においてプレスにより型抜きして形成するので、従来のような基材を強引にちぎり取るように切断面部６２を形成することがないため、袋ダボ６１の切断面部６２側にバリなどが生じ難いようになっている。
【００２３】
また、従来と比較して、製造工程が複雑になるようにも思えるが、切欠き孔７０と袋ダボ６１とを形成する工程は、いずれも同じ方向（例えば上下方向）に工作機構を稼動するものであるので、複雑な工程や工作機械構造にしなくとも容易に実現することができ、製造性が低下することがない。また、より好ましい形態としては、切欠き孔７０の型抜き方向が袋ダボ６１を形成するプレス方向と異なっていることである。このようにしておけば、仮に切欠き孔７０の型抜き時にバリが発生してもこのバリは、袋ダボ６１側には位置しないようになるためである。
【００２４】
このようにして形成された袋ダボ６１へ反射体１２の取付部５１の取付片５４を挿入する挿入時は、袋ダボ６１の切断面部６２側である挿入開口６３内に器具本体１１の基材のバリや塗装剥がれ片が位置することがない。したがって、反射体１２の取付作業性が損なわれることが無く、スムーズな作業をおこなうことができる。これは、高所で実施する取付作業時においては、特に有効な効果であるし、複数台の照明器具１を設置する場合の作業性を鑑みると大きな効果である。
【００２５】
また、本実施形態によれば、切欠き孔７０を型抜きにより形成するので、仮に器具本体１１の基材に塗装鋼鈑を使用した場合であっても塗装剥がれが生じにくくなっているため、錆びなどを生じさせることがない。
【００２６】
また、本実施形態によれば、切欠き孔７０は、反射体１２を器具本体１１に取付けた状態においては、取付片５４や折曲部５１によって外方からは殆ど見えない状態となるので、意匠性が低下することがない。
【図面の簡単な説明】
【００２７】
【図１】本実施形態の照明器具を示す一部正面断面図
【図２】本実施形態の照明器具を示す一部側面断面図
【図３】本実施形態の照明器具の反射体を示す説明図
【図４】本実施形態の照明器具の器具本体の要部を示す要部拡大断面図
【図５】本実施形態の照明器具の切り起こし部を示す要部正面図
【符号の説明】
【００２８】
１・・・照明器具、１１・・器具本体、１２・・・反射体、４１・・・天板部、５０・・・反射部、５１・・・折曲部、５２・・・取付部、６０・・・切り起こし部、６２・・・切断面部、７０・・・切欠き孔  
【図１】
2007324093.tif 000003
【図２】
2007324093.tif 000004
【図３】
2007324093.tif 000005
【図４】
2007324093.tif 000006
【図５】
2007324093.tif 000007